(57)【特許請求の範囲】
【請求項１】
一眼レフカメラ、デジタルカメラ等のカメラを内蔵するハウジングの外面に、内蔵カメラからストロボへ光信号を送るために光信号ケーブルを介してストロボと接続するための光信号ケーブル接続端子と、内蔵カメラのシャッター速度をストロボ同調速度に切り替える擬似的ストロボ発光レディ電気信号を内蔵カメラ側に送り出す動作をオンオフするスイッチを備え、さらに、ハウジングの内側に、前記擬似的ストロボ発光レディ電気信号を内蔵カメラに伝える電気回路と、内蔵カメラからストロボに送られる発光開始指示と発光停止指示の電気信号を光信号ケーブルで伝達する為、光信号に変換するよう光信号ケーブル接続端子に配された発光体を駆動する光電子回路を備え、前記スイッチをオフにすると、前記擬似的ストロボ発光レディ電気信号をカメラに伝える前記電気回路が遮断されるように設定されていることを特徴とする水中カメラハウジング。
【請求項２】
一眼レフカメラ、デジタルカメラ等のカメラを内蔵するハウジングの外面に、内蔵カメラからストロボへ光信号を送るために光信号ケーブルを介してストロボと接続するための光信号ケーブル接続端子と、内蔵カメラのシャッター速度をストロボ同調速度に切り替える擬似的ストロボ発光レディ電気信号を内蔵カメラ側に送り出す動作をオンオフする第１のスイッチを備え、さらに、ハウジングの内側に、前記擬似的ストロボ発光レディ電気信号を内蔵カメラに伝える第１の電気回路と、内蔵カメラからストロボに送られる発光開始指示と発光停止指示の電気信号を光信号ケーブルで伝達する為、光信号に変換するよう光信号ケーブル接続端子に配された発光体を駆動する光電子回路を備え、前記第１のスイッチをオフにすると、前記擬似的ストロボ発光レディ電気信号をカメラに伝える前記第１の電気回路が遮断されるように設定された第１の構成と；
前記ハウジングの外面に、ストロボから内蔵カメラのシャッター速度をストロボ同調速度に切り替えるストロボ発光レディ電気信号を内蔵カメラに送るため及び内蔵カメラから発光開始指示と発光停止指示の電気信号を送るために電気信号ケーブルを介してストロボと接続するための電気信号ケーブル接続端子と、ストロボから前記ストロボ発光レディ電気信号を内蔵カメラ側に送り出す動作をオンオフする第２のスイッチを備え、さらに、ハウジングの内側に、内蔵カメラからストロボに送られる発光開始指示と発光停止指示の電気信号をそのまま電気信号ケーブル接続端子に伝える第２の電気回路を備え、前記第２のスイッチをオフにすると、前記ストロボ発光レディ電気信号を内蔵カメラに伝える動作が遮断されるように設定された第２の構成とを併せて具備し、
前記第１の構成と前記第２の構成のいずれかを選択して用いることができることを特徴とする水中カメラハウジング。
【発明の詳細な説明】
【０００１】
【発明の属する技術分野】
本出願の発明は、水中カメラとストロボとの接続制御システムに関するものである。
【０００２】
【従来の技術】
水中カメラ撮影では、赤い波長の光が水に吸収されてカラーバランスが崩れており、また、概して光量が不足しているので、ストロボが必須である。水中撮影におけるストロボは、水中に浮遊するプランクトンや砂粒等を目立たなく写真撮影できるよう、水中カメラからアーム等を介して離して取り付ける必要がある。
【０００３】
そこで、従来から、図１に示すように、ストロボｓは、水中カメラ、即ち、一眼レフカメラ等のカメラｃを内蔵する水中カメラハウジングｈの底部に付加されたベースプレートｂから伸びるアームａの先に取り付けて使用される。また、ストロボは、撮影状況に応じてアームを動かして位置を変え、種々のライティングに使用される。
【０００４】
被写体を的確に写したいとき，あるいはできるだけ影をつけたくないときには、カメラに近い正面やや上のフロントからのライティングとなる。また、被写体に部分的に影をつけて立体的に浮び上がらせたり、コントラストを強くしたいときには、ストロボをカメラの右側または左側の低い位置に配置してサイドからのライティングとなる。
【０００５】
つまり、水中カメラ撮影では、ストロボは、カメラから大きく離れた位置にあり、しかも、その位置は常に変化している訳である。従って、自然光が十分ある撮影状況や、青いトーンで水中らしさを表現した作品を意図したい時など、ストロボを切って撮影する場合には、アーム先端に取り付けたストロボのスイッチを切るために、被写体を追っている視線をファインダーから外し、ストロボに向けなければならない。その上、水流にさらされて姿勢の不安定な水中で、カメラを握っている手を持ち替えて姿勢をかえて、ストロボに手を伸ばしてストロボをグリップしてから、ストロボのスイッチｓｗ（図１参照）を切り、しかる後に、体勢を戻して、視線をファインダーに戻して、やっと当初の撮影に戻れる訳である。
【０００６】
この「水中ストロボのスイッチを切る」という一連の動作のため、水中では、陸上撮影の何倍もの手間と時間がかかるので、動いている魚等の撮影で貴重なシャッターチャンスを逃すことも多い。また、逆に、暗くなった場合などで「水中ストロボのスイッチを入れる」一連の動作でも、同様に貴重なシャッターチャンスを逃すことが多い。
【０００７】
【発明が解決しようとする課題】
上記のような従来のストロボ組み付け水中カメラ撮影システムでは、ストロボとカメラとのリンクを切るストロボのスイッチ（図１のｓｗ参照）が、撮影システムを支える両手から大きく離れた位置にあるため、リンクを切ったり、リンクを回復するためには、撮影を中断して、水流にさらされて姿勢の不安定な水中で、カメラを握っている手を持ち替えて姿勢をかえて、ストロボに手を伸ばしてストロボをグリップしてから、ストロボのスイッチｓｗ（図１参照）を切り、しかる後に、体勢を戻して、視線をファインダーに戻して、やっと当初の撮影に戻れる訳で、大変な手間と時間を要していた。
【０００８】
本発明は、このような従来の問題点に鑑みてなされたものであり、その目的とするところは、ストロボ組み付け水中カメラ撮影システムにおいて、ストロボとカメラとのリンクの切断・回復を水中カメラ側で自由に行えるようにすることにある。
【０００９】
【課題を解決するための手段】
上記目的を達成するために、本発明では、水中カメラ側に、ストロボとカメラとのリンクを切断・回復するスイッチを設ける。即ち、図２に示すように、一眼レフカメラ、デジタルカメラ等のカメラＣを内蔵する水中カメラハウジングＨの外面にストロボとのリンクを切断・回復するスイッチＬＳを設ける。また、水中カメラ側が、耐圧防水カメラである場合には、その耐圧防水カメラのカメラボディ外面にストロボリンクスイッチを設ける。
【００１０】
水中カメラ側が、ビデオカメラを内蔵したカメラハウジングである場合も、同様に、ハウジングの外面に、ストロボのように大光量のライトとのリンクを切断・回復するスイッチを設ける。このようにすると、ストロボとカメラとのリンクの切断・回復を水中カメラ側で自由に行えるから、水中撮影の現場でストロボを切って撮影する場合、被写体を追っている視線をファインダーから外すことなく、カメラを握っている手を持ち替えたり姿勢をかえたりすることなく、単に、カメラを握っている手の指先を探れば、ストロボリンクスイッチＬＳを操作して、ストロボとカメラとのリンクを切断・回復することができる。
【００１１】
ストロボリンクスイッチは、水中カメラハウジングの外面の任意の位置に設けることができるが、カメラを支えつつシャッター等の操作をする手の当接する位置の近傍に設けることが望ましい。そうすれば、被写体を追っている視線をファインダーから外すことなく、カメラを握っている手の指先を探るだけで、ストロボリンクスイッチを操作して、ストロボとカメラとのリンクを切断したり、回復したりすることができる。つまり、撮影姿勢を維持したまま、瞬時に、ストロボを連動させるか、否かの状態を切り替えることができるので、シャッターチャンスを逃すことがない。
【００１２】
【発明の実施の形態】
本発明においては、水中カメラ側のカメラを支持する手の近傍に、ストロボとカメラとのリンクを切断・回復するストロボリンクスイッチを設けている。このため、ダイバーは、水中撮影の現場で、被写体を追っている視線をファインダーから外すことなく、カメラを握っている手の指先を探るだけで、ストロボリンクスイッチを操作して、ストロボとカメラとのリンクを切断したり、回復したりすることができる。つまり、撮影姿勢を維持したまま、瞬時に、ストロボを連動させるか、否かの状態を切り替えることができるので、シャッターチャンスを逃すことがない。
【００１３】
また、体を動かして、バランスを崩したりすることもなく、水中撮影に専念できるので、エアーの消費を節約でき、長時間撮影できるなど、水中撮影の物理的負荷や心理的煩雑さを大きく軽減することができ、撮影環境を飛躍的に向上させるものである。
【００１４】
【実施例】
以下、図面を参酌しつつ、本発明の実施の形態の具体例を詳細に説明する。
＜Ａ＞まず、図２に示すような基本的な実施形態として、電気信号ケーブル接続式ストロボを組み付けた水中カメラ撮影システムがある。それを実現するための水中カメラハウジングＨは、外面にストロボとのリンクを切断・回復するストロボリンクスイッチＬＳを備えている。
【００１５】
図２は、本発明のストロボリンクスイッチ付水中カメラハウジングをファインダーＦのある後ろ側から見た図である。ストロボＳは、水中カメラ、即ち、一眼レフカメラＣを内蔵する水中カメラハウジングＨの底部に付加されたベースプレートＢから伸びるアームＡの先に取り付けられ、さらに、電気信号ケーブル（シンクロコードとも言われる。）ＥＤによって水中カメラ側とリンクしている。ダイバーの撮影者は、水中の撮影現場にたどりつくと、まず、ストロボＳの位置や向きを直して撮影システムを整えるが、この時に、ストロボＳの電源スイッチＳＷはオンにされる。
【００１６】
本発明のストロボを組み付け水中カメラ撮影システムでは、その後、撮影者は、ダイビングを終えて船上か陸上に戻るまで、ストロボＳの電源スイッチＳＷに触れる必要がなく、カメラハウジングＨのストロボリンクスイッチＬＳのみ操作して、ストロボ発光撮影（ＬＳオン）と、自然光撮影（ＬＳオフ）とを自在に選択できる。
【００１７】
図３は、図２のストロボリンクスイッチ付水中カメラハウジングＨを側面から見た図である。ファインダーＦや、ストロボリンクスイッチＬＳを備えたハウジング後半部ＨＢは、レンズポートＬＰや、シャッターレバーＳＴを備えたハウジング前半部ＨＦと、両サイドにあるパッチン錠ＰＪにて合体・固定されている。
【００１８】
図４は、図２、図３のストロボリンクスイッチ付水中カメラハウジングＨの縦断面図である。ハウジング後半部ＨＢと、ハウジング前半部ＨＦとの接合面には、防水ゴムリングＧが配設されている。内蔵されるカメラＣは、ハウジング後半部ＨＢの台座にネジ固定されており、台座下には、回路ボックスＣＢが設けられている。
【００１９】
回路ボックスＣＢの後端には、磁気応答センサーＭＳがあり、ハウジング後半部ＨＢの外面のストロボリンクスイッチＬＳの磁石ボタンＭＧと、呼応している。また、内蔵されるカメラＣの頭部にあるホットシュー電気接点ＣＳには、回路ボックスＣＢから伸びるハウジング回路端子ＨＳが接続されている。
【００２０】
図５は、ストロボリンクスイッチＬＳとその周辺部の横断面図である。ストロボリンクスイッチＬＳは、防水ゴムリングを備えたネジＳＦにより、ハウジング後半部ＨＢの外面に取り付け固定されている。ストロボリンクスイッチＬＳの磁石ボタンＭＧは、バネＳＢにて後方に付勢されて左右いずれかの安定位置にあり、前方に押圧されると左右方向にスライド可能となり、スイッチの切り替えができる。その切り替えを防水ハウジングＨ内部の回路ボックスＣＢの後端部にある磁気応答センサーＭＳが検知して、ストロボ発光撮影（ＬＳオン）と、自然光撮影（ＬＳオフ）との回路切り替えが行われる仕組みである。
【００２１】
＜Ｂ＞図６は、電気信号ケーブル接続式ストロボを組み付けた水中カメラ撮影システムでのストロボ発光撮影（ストロボリンクスイッチＬＳオン）の仕組みの説明図である。ダイバーの撮影者は、水中の撮影現場にたどりつくと、まず、ストロボＳの位置や向きを直して撮影システムを整えるが、この時に、ストロボＳの電源スイッチＳＷはオンにされる。
【００２２】
しばらくすると、ストロボからカメラに、電気信号ケーブルＥＤを通じて、ストロボの発光準備完了のｒｅａｄｙ信号（１）が送り出される。より正確に言うと、カメラ側から応答があるまで、ｒｅａｄｙ信号（１）が送り出され続けている。ストロボ発光撮影（ストロボリンクスイッチＬＳオン）のときには、ストロボのｒｅａｄｙ信号（１）は、そのままカメラに伝わるようになっているので、以下の手順で、ストロボ発光撮影が行われる。
【００２３】
カメラのシャッターボタンを押し始めると、シャッターボタン半押し状態（２）以降、すべての機能が働き、カメラのＣＰＵは、ストロボからのｒｅａｄｙ信号（１）を受信してストロボ発光撮影の準備に入り、シャッター速度をそのカメラのストロボ同調速度（１／１２５秒以下等と設定されているものが多い））よりも遅い速度とするストロボ発光撮影体制に切り替わる。
【００２４】
シャッターボタンが全押し状態になると、カメラ内のシャッター幕が開き、撮影開始となるとともに、カメラからストロボに、電気信号ケーブルＥＤを通じて、発光開始指示信号（３）が送り出される。ストロボは、発光開始指示信号（３）を受信して、ただちに発光を開始（４）する。
【００２５】
発光した光が被写体に当たり、その反射光（５）がレンズを通してカメラに入り、カメラは適正露出を計算し、ストロボの発光量を調節すべく、電気信号ケーブルＥＤを通じてストロボへ発光停止指示信号（６）を送り出す。ストロボは、発光停止指示信号（６）を受信して、ただちに発光を停止し、まもなくシャッター幕も閉じて、撮影が終了する。
【００２６】
一方、ストロボリンクスイッチＬＳをオフにしての自然光撮影の仕組みは以下のようになる。ストロボリンクスイッチＬＳをオフにしておくと、ストロボからのｒｅａｄｙ信号（１）は、カメラに伝わらない。カメラのシャッターボタンを押し始めると、シャッターボタン半押し状態（２）以降、すべての機能が働いても、カメラのＣＰＵは、ストロボからのレディ信号（１）を受信することがないので、シャッター速度をそのカメラのストロボ同調速度（１／１２５秒以下等と設定されているものが多い）よりも遅い速度とするストロボ発光撮影体制への切り替えは、行われず、自然光での露出に応じたシャッター速度で撮影が行われる。
【００２７】
たとえば、やや深い海にいるダイバーが、浅い海域を横切っていく魚群を見上げるようにして、明るい空側を背景にして撮影するときや、昼下がりの強い日差しを受け始めた浅い珊瑚礁域で撮影するときなど、リンクスイッチＰＬＳをオフにすれば、強い自然光での露出に応じた早いシャッター速度での撮影が可能である。
ストロボとのリンクをオフにするこのようなスイッチ機構がなければ、これらのシャッターチャンスでの撮影は すべて露出オーバーになって失敗するところである。
【００２８】
＜Ｃ＞図７は、電気信号ケーブル接続式ストロボを組み付けるストロボリンクスイッチ付き水中カメラハウジングにおけるストロボリンクスイッチの回路構成例である。Ｎ社（ニコン社）製一眼レフカメラ及びＮ社対応ストロボを例にとって、水中カメラハウジングにおけるストロボリンクスイッチの回路構成の概略を示すものである。
【００２９】
Ｎ社製一眼レフカメラは、カメラのレディ端子Ｃｒにかかる電圧が高くなると、即ち、Ｈｉ側（約＋３Ｖ）になると、ストロボの発光準備ＯＫと認識するように構成されている。つまり、Ｎ社対応ストロボがＮ社製カメラに送出するストロボ発光準備完了のレディ信号は、＋３Ｖの電圧信号である。Ｎ社製カメラＣを収納する水中カメラハウジングＨのストロボリンクスイッチＬＳ周りの回路は、概略図７のように構成されている。
【００３０】
リンクスイッチＬＳオンのときには、ストロボからの＋３Ｖのレディ信号がカメラのレディ端子Ｃｒに伝わる。カメラのＣＰＵは、これを受信してストロボ発光撮影の準備に入り、シャッター速度をカメラのストロボ同調速度（１／１２５秒以下）よりも遅い速度とするストロボ発光撮影体制に切り替わる。また、トランジスタＴＲは電圧がかかって動作するので、ＴＲ経由の回路がつながり、カメラ内部のＸ接点（ストロボの発光をオン、オフ制御するスイッチ。実際は、サイリスタ等で構成されるスイッチング回路である。）と、ストロボとがつながる。
【００３１】
従って、カメラのシャッターボタンが押されて、シャッター幕が開くと、Ｘ接点が閉じて、発光指示信号がストロボに伝達され、ストロボが発光する訳である。リンクスイッチＬＳオフのときには、ストロボからの＋３Ｖのレディ信号がカメラのレディ端子Ｃｒに伝わらない。カメラのＣＰＵは、レディ信号を受信しないので、ストロボ同調速度には切り替わらない。また、トランジスタＴＲは電圧がかからないので動作せず、ＴＲ経由の回路がつながらないので、カメラ内部のＸ接点と、ストロボとはつながらない。従って、カメラのシャッターボタンが押されても、Ｘ接点が閉じてストロボが発光することはなく、自然光での露出に応じたシャッター速度での自然光撮影が行われる。
【００３２】
＜Ｄ＞次に、浸水の障害を受けにくく水に強い光通信を応用した実施形態として、図８に示すような光通信ケーブル接続式ストロボを組み付けた水中カメラ撮影システムがある。このようなシステムでは、通常、光通信ケーブルＤが１本だけでカメラ側とストロボとをリンクしており、また、ストロボは、光通信ケーブルＤ経由でカメラ側へ光信号を送出する機能を備えていないので、ストロボからカメラ側へ、ストロボの発光準備完了のｒｅａｄｙ信号（１）が送出されることがない。
【００３３】
従って、電気信号ケーブルＥＤによるリンクの場合のように、ストロボ発信のｒｅａｄｙ電気信号がカメラ側に受信されるのを契機に、カメラのシャッター速度がストロボ同調速度（１／１２５秒以下））に切り替わるという動作は起きない。そこで、ここに使用される水中カメラハウジングＰＨは、光通信ケーブル接続式ストロボＰＳに対応したリンクスイッチＰＬＳを備えることとなる。
【００３４】
リンクスイッチＰＬＳは、光電子回路ボックスＰＣＢの外面に設けられており、オンの状態では、擬似的なストロボｒｅａｄｙ電気信号ＥＲを発生して、カメラ側に送り出すように構成されている。厳密に言うと、通常、光電子回路ボックスＰＣＢ自体は、水中カメラハウジングＨの防水壁の内面側に設置され、一方、外部操作のためのリンクスイッチＰＬＳは、水中カメラハウジングＨの防水壁の外面側に設置され、図５における場合と同様に、磁石と磁気センサーとの対応関係により連携がはかられる。
【００３５】
内蔵カメラＣは、ハウジングのカメラ用電気接点ＨＳ、カメラ自体のホットシュー電気接点ＨＳを通じて、擬似的ストロボ発光ｒｅａｄｙ電気信号ＥＲを受信し、それを契機に、カメラのシャッター速度がストロボ同調速度（１／１２５秒以下））に切り替わる仕組みである。（図８上参照）
カメラのシャッターボタンが押されると、カメラ内のシャッター幕が開き、撮影開始となるとともに、カメラからストロボに、発光開始指示電気信号ｅが送り出されるが、システム内でのストロボまでの信号伝達経路は以下のようになる。（図８下参照）  内蔵カメラＣのホットシュー電気接点ＨＳを通じて送り出された発光開始指示電気信号ｅは、水中カメラハウジング付設の信号変換回路（光電子回路ボックスＰＣＢ内）により変換されて、ＬＥＤ発光指示信号ｅ’になり、光発信部Ｃ−ＯＴの発光体Ｌに伝えられる。発光体Ｌの光信号ｈνは、光信号ケーブルを伝って、ストロボの光センシングユニットＰＳＵに伝達される。光信号ｈνは、光センシングユニットＰＳＵ内の受光センサーＦにより検知されて、再び電気信号ｅ”になり、ＰＳＵ内の信号変換回路にて信号変換され、ストロボ制御電気信号ｅ’’’となり、ストロボ内部に伝達される。
【００３６】
ストロボは、ただちに発光を開始する。発光した光が被写体に当たり、その反射光がレンズを通してカメラに入り、カメラは適正露出を計算する。次いで、カメラは、ストロボの発光量を調節すべく、再び、上述の信号伝達経路を通じてストロボへ発光停止指示信号を送り出す。ストロボは、発光停止指示信号を受信して、ただちに発光を停止し、まもなくシャッター幕も閉じて、撮影が終了する。
【００３７】
一方、リンクスイッチＰＬＳをオフにしての自然光撮影の仕組みは以下のようになる。 リンクスイッチＰＬＳをオフにしておくと、擬似的なストロボ発光ｒｅａｄｙ電気信号ｅは、発生されず、カメラに伝わらない。カメラのシャッターボタンを押し始めると、シャッターボタン半押し状態以降、すべての機能が働いても、カメラのＣＰＵは、ストロボからのｒｅａｄｙ電気信号を受信することがないので、シャッター速度をそのカメラのストロボ同調速度よりも遅い速度とするストロボ発光撮影体制への切り替えは、行われず、自然光での露出に応じたシャッター速度で撮影が行われる。
【００３８】
たとえば、やや深い海にいるダイバーが、浅い海域を横切っていく魚群を見上げるようにして、明るい空側を背景にして撮影するときや、昼下がりの強い日差しを受け始めた浅い珊瑚礁域で撮影するときなど、リンクスイッチＰＬＳをオフにすれば、強い自然光での露出に応じた早いシャッター速度での撮影が可能である。
【００３９】
＜Ｅ＞次に、光通信ケーブル接続式ストロボを組み付けた水中カメラ撮影システムのハードウエアについて説明する。システムの中心となる水中カメラと、周辺機器のストロボとのリンクは、従来、電気信号ケーブルを用いる形態が殆どであったが、近年、パソコンシステムや、ＡＶシステムと同様、光通信でリンクする形態のものが、増加しつつある。
【００４０】
その場合、水中カメラ撮影システムでは、基本的に、光通信ケーブルＤを用いて、光リンクして動作する光感応ストロボ（図９参照）とを接続することになる。（ただし、光リンクして動作する光感応ストロボを主灯でなく、複数ストロボ併用撮影での増灯として使用するように、光感応ストロボの光信号入力部Ｓ−ＩＮの受光センサーＦの受光範囲を広げたり、受光感度を高めたりした場合など、状況によっては、光通信ケーブルＤがなくても、光の水中伝達だけでリンクするケースもある。）
図９は、本発明の光通信ケーブル接続式ストロボ組み付け水中カメラ撮影システムでもちいる光感応ストロボの構成例を示す。
【００４１】
主灯・増灯両用型光感応ストロボＰＳは、その前半部に、光信号入力部Ｓ−ＩＮや、発光部１を持ち、その後半部に、バッテリー交換口２や、充電完了ランプ３を備え、側壁などに、光量スイッチ（ＴＴＬオート、マニュアル切り替え等）や電源スイッチ（ＯＮ、ＯＦＦ、ターゲットライトモード等）の各種機能設定部４や、アーム支持部５を備えている。
【００４２】
光信号入力部Ｓ−ＩＮは、その先端等に透光性素材で作られた透光性防水窓を持ち、その内部に、受光センサー、信号変換回路を備えており、それらはストロボ発光回路へと繋がっている。図９の光信号入力部Ｓ−ＩＮは、ストロボ本体に一体的に組み込まれている構成例であり、コンパクトにまとまっている。
【００４３】
＜Ｆ＞図１０は、従来の水中撮影用ストロボＳの電気信号ケーブル接続口Ｓ−ＥＮに、アダプター型の光センシング・ユニットＰＳＵを取付け固定一体化して、全体として光感応ストロボを構成する場合の組立例を示す。
光センシング・ユニットＰＳＵは、防水性接続部に、遊嵌リングをもっており、該遊嵌リング内側の雌ネジと、ストロボの電気信号ケーブル接続口Ｓ−ＥＮの外周雄ネジとで、締め付け固定され、同時に、ユニットＰＳＵの電子回路接点（図１１のＳ１、Ｓ２、ＤＣ+ 等の接点）は、ストロボ側の電気接点と電気的に接続される。接続固定方法は、ネジ締めに限られず、樹脂バネ等を使ったワンタッチ方式でもよい。いずれの接続方法でも、ゴムリングＲなどを配設して電気接点部分の防水を確保することが必須である。
【００４４】
光センシング・ユニットＰＳＵは、親指程の大きさにまとめられた機器であり、接続部の反対側には、透光性防水窓とその内側に配設された受光センサーＦをもつ受光部、受光部の光検知信号をもとにストロボの発光開始、発光停止等の電気制御信号を発生する信号変換回路、等を備えている。図１０の構成例では、受光センサーＦは、回路基板に支持されて、透明樹脂材からなる透光性防水窓（樹脂封止凸部）の内側に配設、固定されている。受光センサーＦは、光信号ケーブルＤの光ファイバー経由の光を検知するためのものである。光信号ケーブルＤは、プラスチック光ファイバーの先端に、透明樹脂封止末端をゴムカバーで覆い、さらに樹脂製ワンタッチ固定具を付加したストロボ接続端子Ｄ−ＳＴを備えている。他端には、カメラ接続端子Ｄ−ＣＴを備えている。多芯の柔軟なプラスチック光ファイバーを使用すれば、光信号ケーブルＤに、カールした伸縮部を設けることも可能である。
【００４５】
図１１は、光信号センシングユニットＰＳＵの回路構成の例である。図の右側は、従来からの電気信号ケーブル接続式のストロボ本体に相当する。電気信号ケーブル接続式のストロボに、光信号センシングユニットＰＳＵを組み合わせて一体化すれば、実質的に光感応ストロボが構成できる。（当初から、ストロボの内部に光信号センシングユニットＰＳＵを組み込んで光信号入力部Ｓ−ＩＮを形成したものが、光感応ストロボである。）
カメラから、光信号ケーブル経由で伝達される発光開始信号は、急激な光の立上り信号であるから、これを受光センサーＦで検出して、ストロボへの発光開始指示の電気信号に変換、増幅して、ストロボ内部の発光制御回路に送出する。
【００４６】
発光開始から数十ミリ秒の後、カメラから、光信号ケーブル経由で伝達される発光停止信号も、増灯スレーブ時に外界の主灯光の発光停止を検知した信号は、どちらも急激な光の立下がり信号として受光センサーＦが検出するので、これをストロボへの発光停止指示の電気信号に変換、増幅して、ストロボ内部の発光回路に送出する仕組みである。
【００４７】
光電変換信号回路の働きの概略を示すと、受光センサーＦが急激な立ち上がり光を検出すると、抵抗３にプラスの電圧が発生する。その電圧をアンプ６で増幅しスイッチング信号としてストロボの発光開始信号にしてＳ１端子から、ストロボに出力する。数十ミリ秒の後、受光センサーＦが急激な立ち下り光を検出すると、コンデンサー２と抵抗４等からなる微分回路によりマイナスの立下り信号が発生する。マイナス信号の時だけ動作するように設定されているアンプ５によってこれを増幅し、ストロボの発光停止信号としてＳ２端子から、ストロボに出力する。
【００４８】
カメラの光発信部Ｃ−ＯＴからの発光開始信号、発光停止信号は、ＬＥＤ発光体等の微弱な光なので、光信号ケーブルで減衰を防ぎつつ受光センサーＦまで誘導する訳である。なお、光信号センシングユニットＰＳＵの駆動電源は、ストロボ本体が、充電完了でスタンバイとなった時にカメラ側に送出するレディ信号を取得して、コンデンサーに蓄積して利用することで省略できる。
【００４９】
＜Ｇ＞図１２は、光信号ケーブルＤのカメラ接続端子Ｄ−ＳＴと、水中カメラないし水中カメラハウジングの光信号出力部Ｃ−ＯＴ、及び、それらの接続状況を示す。光信号ケーブルＤは、図９に於けると同様、プラスチック光ファイバーの先端に、透明樹脂封止末端をゴムカバーで覆い、さらに樹脂製ワンタッチ固定具を付加したカメラ接続端子Ｄ−ＣＴを備えている。
【００５０】
一方、水中カメラないし水中カメラハウジングＣは、そのケース体外面に一部露出する位置に、光感応ストロボに対して、発光開始、発光停止等の制御信号を送出する光発信部Ｃ−ＯＴを有している。光発信部Ｃ−ＯＴは、内側に発光体Ｌを備えている。発光体Ｌは、ＬＥＤ等の発光管や、内蔵ストロボ等の発光部から伸びるライトガイドなどから適宜選択できる。
【００５１】
ＬＥＤの発光体Ｌの場合、その発信動作は、内蔵カメラＣからのストロボ制御電気信号が、カメラのホットシュー電気接点ＣＳ、ハウジングのカメラとの電気接点ＨＳを経由して、光発信部Ｃ−ＯＴの根幹部にある信号変換回路（図８に示す光電子回路ボックスＰＣＢの機能の一部である。）に伝わり、ＬＥＤ発光指示信号に変換されて、信号伝達されることにより行われる。
【００５２】
＜Ｈ＞図１３は、光信号ケーブル接続式ストロボを組み付けるストロボリンクスイッチ付き水中カメラハウジングにおけるストロボリンクスイッチの回路構成例である。Ｃ社（キャノン社）製一眼レフカメラ及びＣ社対応ストロボを例にとって、水中カメラハウジングにおけるストロボ光リンクスイッチの回路構成の概略を示すものである。
【００５３】
Ｃ社製一眼レフカメラは、カメラのレディ端子Ｃｒにかかる電圧が低くなると、即ち、Ｌｏ側になると、ストロボの発光準備ＯＫと認識するように構成されている。つまり、Ｃ社対応ストロボがＣ社製カメラに送出するストロボ発光準備完了のレディ信号は、低電圧の信号である。Ｃ社製カメラＣを収納する水中カメラハウジングＨのストロボ光リンクスイッチＰＬＳ周りの回路は、概略図１３のように構成されている。
【００５４】
光リンクスイッチＰＬＳオンのときには、カメラのレディ端子Ｃｒはアース電位につながり、低電圧になる。カメラのＣＰＵは、これを受信してストロボ発光撮影の準備に入り、シャッター速度をカメラのストロボ同調速度（１／１２５秒以下）よりも遅い速度とするストロボ発光撮影体制に切り替わる。また、トランジスタ回路ＴｒＣを経由して、カメラ内部のＸ接点（ストロボの発光をオン、オフ制御するスイッチ。実際は、サイリスタ等で構成されるスイッチング回路である。）と、水中カメラハウジングの光信号出力部Ｃ−ＯＴの発光体Ｌとがつながる。
【００５５】
従って、カメラのシャッターボタンが押されて、シャッター幕が開くと、Ｘ接点が閉じて、トランジスタ回路ＴｒＣに伝達された発光指示信号が、変換されて、発光体Ｌに駆動信号として伝達され発光して、光信号ケーブル経由でストロボまで光信号が伝達され、ストロボが発光する訳である。光リンクスイッチＰＬＳオフのときには、カメラのレディ端子Ｃｒは低電圧にならず、カメラのＣＰＵは、ストロボ同調速度への切り替えをしない。また、トランジスタ回路ＴＲＣは、カメラ内部のＸ接点と、発光体Ｌとをつながない。従って、カメラのシャッターボタンが押されても、Ｘ接点が閉じて発光体Ｌが発光することはなく、ストロボへの発光指示信号は送出されないので、自然光での露出に応じたシャッター速度での自然光撮影が行われる。
【００５６】
＜Ｉ＞図１４に示すのは、光発信部Ｃ−ＯＴ、光電子回路ボックスＰＣＢ（上述の信号変換回路、及び、図７で説明した擬似的ストロボ発光ｒｅａｄｙ電気信号ＥＲをカメラ側へ発信する回路を内蔵する）、リンクスイッチＰＬＳを一体化したユニットである。このユニットを通常の電気信号ケーブル接続端子Ｅ−ＯＴのみをもつ水中カメラハウジングの接続端子Ｅ−ＯＴに対して、取り付けて合体すれば、事実上、図１２に示す光発信部Ｃ−ＯＴ、即ち、光信号ケーブル接続端子を備えた、水中カメラハウジングが構成できる。
【００５７】
また、通常の電気信号ケーブル接続端子Ｅ−ＯＴに加えて、光発信部（光信号ケーブル接続端子）Ｃ−ＯＴをも併せ持つ水中カメラハウジングも、構成できる。図１５に示すのは、ハウジング前部上側に、電気信号ケーブル接続端子Ｅ−ＯＴ、光発信部（光信号ケーブル接続端子）Ｃ−ＯＴを併せ持つ水中カメラハウジングの設計例であり、上から見た図と、正面から見た図である。内蔵するカメラの配置関係も合わせて描いてある。
【図面の簡単な説明】
【図１】  従来のストロボ組み付け水中カメラ撮影システムと、それを使用した撮影の様子を示す。
【図２】  本発明のストロボリンクスイッチ付水中カメラハウジングと、それを用いたストロボ組み付け水中カメラ撮影システムを示す図であり、ハウジングのファインダー側からみた図である。
【図３】  ストロボリンクスイッチ付水中カメラハウジングＨを側面図である。
【図４】  ストロボリンクスイッチ付水中カメラハウジングＨの縦断面図である。
【図５】  ストロボリンクスイッチとその周辺部の横断面図である。
【図６】  電気信号ケーブル接続式ストロボを組み付けた水中カメラ撮影システムでのストロボ発光撮影（ストロボリンクスイッチ オン）の仕組みの説明図である。
【図７】  図７は、電気信号ケーブル接続式ストロボを組み付ける水中カメラハウジングにおけるストロボリンクスイッチの回路構成例である。
【図８】  光通信ケーブル接続式ストロボを組み付けた水中カメラ撮影システムの構成例である。
【図９】  本発明の光通信ケーブル接続式ストロボ組み付け水中カメラ撮影システムでもちいる光感応ストロボの構成例を示す。
【図１０】  従来の水中撮影用ストロボの電気信号ケーブル接続端子に、アダプター型の光センシング・ユニットを取付け固定一体化して、光感応ストロボを構成する組立例を示す。
【図１１】  光信号センシングユニットの回路構成例である。
【図１２】  光信号ケーブルのカメラ接続端子と、水中カメラハウジングの光信号ケーブル接続端子（光信号出力部）、及び、それらの接続状況を示す。
【図１３】  光信号ケーブル接続式ストロボを組み付ける水中カメラハウジングにおけるストロボリンクスイッチの回路構成例である。
【図１４】  光発信部，光電子回路ボックス、リンクスイッチを一体化したユニットであり、電気信号ケーブル接続端子のみをもつ水中カメラハウジングを光信号ケーブル接続端子を持つ水中カメラハウジングへと機能変更するものである。
【図１５】  電気信号ケーブル接続端子、光信号ケーブル接続端子を併せ持つ水中カメラハウジングであり、上から見た図と、正面から見た図である。
【図１】
0004183307.tif 000002
【図２】
0004183307.tif 000003
【図３】
0004183307.tif 000004
【図４】
0004183307.tif 000005
【図５】
0004183307.tif 000006
【図６】
0004183307.tif 000007
【図７】
0004183307.tif 000008
【図８】
0004183307.tif 000009
【図９】
0004183307.tif 000010
【図１０】
0004183307.tif 000011
【図１１】
0004183307.tif 000012
【図１２】
0004183307.tif 000013
【図１３】
0004183307.tif 000014
【図１４】
0004183307.tif 000015
【図１５】
0004183307.tif 000016